(57)【要約】【課題】  副コンテンツの特性に合わせて主コンテンツ及び副コンテンツを再生できる動画再生装置及び動画再生方法を提供する。【解決手段】  動画再生装置は、再生すべき副コンテンツに係る副コンテンツ情報を記録媒体から読み出し、前記副コンテンツ情報に基づいて前記副コンテンツの特性を示す特性情報を取得し、前記特性情報に基づいて前記主コンテンツ及び前記副コンテンツの再生手順を制御する。【選択図】  図１
2008125050.tif 000002
【特許請求の範囲】
【請求項１】
動画データを含む主コンテンツと、前記主コンテンツに付随する副コンテンツとを再生する動画再生装置であって、
再生すべき副コンテンツに係る副コンテンツ情報を記録媒体から読み出す読み出し手段と、
前記副コンテンツ情報に基づいて前記副コンテンツの特性を示す特性情報を取得する特性情報取得手段と、
前記特性情報に基づいて前記主コンテンツ及び前記副コンテンツの再生手順を設定するためのプレイリストを生成するプレイリスト生成手段と、
前記プレイリストに従って前記主コンテンツ及び前記副コンテンツの再生を制御する再生制御手段とを備えることを特徴とする動画再生装置。
【請求項２】
前記特性情報取得手段は、前記特性情報に基づいて複数のプレイリストのテンプレートのうちいずれか１つを選択し、
前記プレイリスト生成手段は、選択された前記プレイリストのテンプレートに応じて、前記主コンテンツ及び前記副コンテンツの再生方法が異なるプレイリストを生成することを特徴とする請求項１に記載の動画再生装置。
【請求項３】
前記特性情報取得手段は、前記特性情報に基づいて複数のプレイリストのテンプレートのうちいずれか１つを選択し、
前記プレイリスト生成手段は、選択された前記プレイリストのテンプレートに応じて、前記主コンテンツ及び前記副コンテンツの組み合わせが異なるプレイリストを生成することを特徴とする請求項１に記載の動画再生装置。
【請求項４】
前記副コンテンツは字幕及び内容解説を含み、当該字幕と当該内容解説とで異なる特性を示すことを特徴とする請求項１または２に記載の動画再生装置。
【請求項５】
前記特性情報は、前記副コンテンツが前記主コンテンツに同期して再生されるか否かを示す情報を含むことを特徴とする請求項１に記載の動画再生装置。
【請求項６】
前記特性情報は、ユーザーによる操作が可能な操作手段による操作に応じて前記副コンテンツの再生が更新されることを示す情報を含むことを特徴とする請求項１に記載の動画再生装置。
【請求項７】
さらに前記副コンテンツの再生を更新するための操作手段を備え、
前記プレイリスト生成手段は、前記操作手段による操作に応じて前記主コンテンツ及び前記副コンテンツの再生を更新することを記述したプレイリストを生成することを特徴とする請求項１に記載の動画再生装置。
【請求項８】
前記副コンテンツは音楽を含み、当該音楽のテンポに応じて異なる特性を示すことを特徴とする請求項１に記載の動画再生装置。
【請求項９】
前記特性情報は、前記副コンテンツのテンポに関する情報であるテンポ情報を含み、
前記プレイリスト生成手段は、前記テンポ情報に基づき、前記主コンテンツを切り替えるタイミングを変更したプレイリストを生成することを特徴とする請求項８に記載の動画再生装置。
【請求項１０】
前記特性情報は、前記副コンテンツのテンポに関する情報であるテンポ情報を含み、
前記プレイリスト生成手段は、前記テンポ情報が速いテンポを示すときは、再生時間の短い主コンテンツを再生し、前記テンポ情報が遅いテンポを示すときは、再生時間の長い主コンテンツを再生するようなプレイリストを生成することを特徴とする請求項８に記載の動画再生装置。
【請求項１１】
動画データを含む主コンテンツと、前記主コンテンツに付随する副コンテンツとを再生する動画再生方法であって、
再生すべき副コンテンツに係る副コンテンツ情報を記録媒体から読み出す読み出し工程と、
前記副コンテンツ情報に基づいて前記副コンテンツの特性を示す特性情報を取得する特性情報取得工程と、
前記特性情報に基づいて前記主コンテンツ及び前記副コンテンツの再生手順を設定するためのプレイリストを生成するプレイリスト生成工程と、
前記プレイリストに従って前記主コンテンツ及び前記副コンテンツを再生する再生工程とを有することを特徴とする動画再生方法。
【請求項１２】
動画データを含む主コンテンツと、前記主コンテンツに付随する副コンテンツとを再生する方法をコンピュータに実行させるためのプログラムを記憶した記憶媒体であって、
再生すべき副コンテンツに係る副コンテンツ情報を記録媒体から読み出す読み出し工程と、
前記副コンテンツ情報に基づいて前記副コンテンツの特性を示す特性情報を取得する特性情報取得工程と、
前記特性情報に基づいて前記主コンテンツ及び前記副コンテンツの再生手順を設定するためのプレイリストを生成するプレイリスト生成工程と、
前記プレイリストに従って前記主コンテンツ及び前記副コンテンツを再生する再生工程とを有する方法をコンピュータに実行させるためのプログラムを記憶したことを特徴とするコンピュータ読み取り可能な記憶媒体。
【請求項１３】
動画データを含む主コンテンツと、前記主コンテンツに付随する副コンテンツとを再生する動画再生装置であって、
再生すべき副コンテンツに係る副コンテンツ情報を記録媒体から読み出す読み出し手段と、
前記副コンテンツ情報に基づいて前記副コンテンツの特性を示す特性情報を取得する特性情報取得手段と、
前記副コンテンツの再生を更新するための操作手段と、
前記主コンテンツの再生に同期して前記副コンテンツの再生を更新するか、前記操作手段による操作に従って前記副コンテンツの再生を更新するかを、前記特性情報に基づいて判断する判断手段と、
前記判断手段による判断に従って前記主コンテンツ及び前記副コンテンツの再生を制御する再生制御手段とを備えることを特徴とする動画再生装置。
【請求項１４】
前記操作手段による操作に従って前記副コンテンツの再生を更新する場合において、前記副コンテンツの再生が更新されるまでの間に前記主コンテンツの再生出力が停止するときには、前記再生制御手段は、前記操作手段による操作に従って前記副コンテンツ及び前記主コンテンツの再生を更新することを特徴とする請求項１３に記載の動画再生装置。
【請求項１５】
前記副コンテンツは字幕及び内容解説を含み、当該字幕と当該内容解説とで異なる特性を示すことを特徴とする請求項１３または１４に記載の動画再生装置。
【発明の詳細な説明】
【技術分野】
【０００１】
本発明は動画データの再生装置及び再生方法に関し、特に、主（メイン）コンテンツと副（サブ）コンテンツを再生する動画再生装置及び動画再生方法に関する。
【背景技術】
【０００２】
ＤＶＤ（Ｄｉｇｉｔａｌ  Ｖｅｒｓａｔｉｌｅ  Ｄｉｓｃ）などの記録媒体には、主（メイン）コンテンツと副（サブ）コンテンツとが記録される。主コンテンツは、例えば、動画（例えば、映画の映像や、自分で撮影した記録映像）である。副コンテンツは、例えば、音声（例えば、複数の言語による吹き替え音声）や、字幕（例えば、複数の言語による字幕）である。音声及び字幕のデータは、ユーザーによるメニュー操作によって言語等が選択されることにより、選択された言語のものが再生される（例えば、特許文献１を参照。）。
【０００３】
また、記録媒体には、字幕の管理情報と、字幕のストリームデータとが記録されている。再生装置は、視聴者により選択されたＩＤ番号に対応する字幕のストリームデータを、記録媒体から読み出してデコードし、管理情報に基づいて決められた位置及び時間に主コンテンツ（映像）と重ねて画面上に表示する。
【０００４】
さらに、記録媒体には、音声の管理情報と、音声のストリームデータとが記録されている。再生装置は、視聴者により選択されたＩＤ番号に対応する音声のストリームデータを、記録媒体から読み出してデコードし、管理情報に基づいて決められた時間に主コンテンツ（映像）に合わせて再生する。
【０００５】
一方、再生の途中でメニューを表示して、ユーザーによるメニュー選択操作を待ち、メニュー選択操作を受け付けた後に、選択された項目に応じた動画の再生を再開するイベント処理が行われることもある。例えば、複数の動画データの再生やユーザーの入力による分岐処理などを実現している（例えば、特許文献２を参照。）。
【特許文献１】特開平８−２６３９６９号公報
【特許文献２】特開平１０−２７１４５２参照
【発明の開示】
【発明が解決しようとする課題】
【０００６】
ところで、特許文献１及び特許文献２に示す技術では、主コンテンツに同期して副コンテンツが再生される点が特徴的である。例えば、従来の音声及び字幕（副コンテンツ）は、映画（主コンテンツ）に同期して再生される。
【０００７】
しかし、副コンテンツを主コンテンツに同期して再生すべきでないことがある。例えば、図２０に示すように、映画（主コンテンツ）１３０１の内容を詳しく解説した内容解説（副コンテンツ）１３０２の再生を要求されたとする。ここで、内容解説は、映画の撮影場所などを解説したものであり、字幕と比較すると情報量が多いという特性を有する。このとき、映画（主コンテンツ）に同期して内容解説文（副コンテンツ）を再生すると、視聴者が内容解説文（副コンテンツ）を読み終わらないうちに次の内容解説文に切り替わってしまうおそれがある。上記した特許文献に示す技術では、主コンテンツは副コンテンツの特性に関係なく進行する。すなわち、副コンテンツの特性に合わせて主コンテンツ及び副コンテンツを再生することはできなかった。
【０００８】
本発明の目的は、副コンテンツの特性に合わせて主コンテンツ及び副コンテンツを再生できる動画再生装置及び動画再生方法を提供することにある。
【課題を解決するための手段】
【０００９】
上記の目的を達成するために、本発明に係る動画再生装置は、動画データを含む主コンテンツと、前記主コンテンツに付随する副コンテンツとを再生する動画再生装置であって、再生すべき副コンテンツに係る副コンテンツ情報を記録媒体から読み出す読み出し手段と、前記副コンテンツ情報に基づいて前記副コンテンツの特性を示す特性情報を取得する特性情報取得手段と、前記特性情報に基づいて前記主コンテンツ及び前記副コンテンツの再生手順を設定するためのプレイリストを生成するプレイリスト生成手段と、前記プレイリストに従って前記主コンテンツ及び前記副コンテンツの再生を制御する再生制御手段とを備えることを特徴とする。
【００１０】
また、本発明に係る動画再生方法は、動画データを含む主コンテンツと、前記主コンテンツに付随する副コンテンツとを再生する動画再生方法であって、再生すべき副コンテンツに係る副コンテンツ情報を記録媒体から読み出す読み出し工程と、前記副コンテンツ情報に基づいて前記副コンテンツの特性を示す特性情報を取得する特性情報取得工程と、前記特性情報に基づいて前記主コンテンツ及び前記副コンテンツの再生手順を設定するためのプレイリストを生成するプレイリスト生成工程と、前記プレイリストに従って前記主コンテンツ及び前記副コンテンツを再生する再生工程とを有することを特徴とする。
【００１１】
また、本発明に係る記憶媒体は、動画データを含む主コンテンツと、前記主コンテンツに付随する副コンテンツとを再生する方法をコンピュータに実行させるためのプログラムを記憶した記憶媒体であって、再生すべき副コンテンツに係る副コンテンツ情報を記録媒体から読み出す読み出し工程と、前記副コンテンツ情報に基づいて前記副コンテンツの特性を示す特性情報を取得する特性情報取得工程と、前記特性情報に基づいて前記主コンテンツ及び前記副コンテンツの再生手順を設定するためのプレイリストを生成するプレイリスト生成工程と、前記プレイリストに従って前記主コンテンツ及び前記副コンテンツを再生する再生工程とを有する方法をコンピュータに実行させるためのプログラムを記憶したことを特徴とする。
【００１２】
また、本発明に係る別の動画再生装置は、動画データを含む主コンテンツと、前記主コンテンツに付随する副コンテンツとを再生する動画再生装置であって、再生すべき副コンテンツに係る副コンテンツ情報を記録媒体から読み出す読み出し手段と、前記副コンテンツ情報に基づいて前記副コンテンツの特性を示す特性情報を取得する特性情報取得手段と、前記副コンテンツの再生を更新するための操作手段と、前記主コンテンツの再生に同期して前記副コンテンツの再生を更新するか、前記操作手段による操作に従って前記副コンテンツの再生を更新するかを、前記特性情報に基づいて判断する判断手段と、前記判断手段による判断に従って前記主コンテンツ及び前記副コンテンツの再生を制御する再生制御手段とを備えることを特徴とする。
【発明の効果】
【００１３】
本発明によれば、副コンテンツの特性に合わせて主コンテンツ及び副コンテンツを再生できる。
【発明を実施するための最良の形態】
【００１４】
（第１の実施形態）
以下に、図面を参照しながら、本発明の第１の実施形態について説明する。
【００１５】
本発明の第１の実施形態に係る動画データの再生装置の構成を、図１を用いて説明する。図１は、第１の実施形態に係る動画再生装置の構成図である。
【００１６】
動画再生装置１００は、例えば、光ディスク等の記録媒体１０１に記録された動画データを再生することができる装置である。
【００１７】
記録媒体１０１には、媒体管理情報、テンプレート情報、主コンテンツ情報及び副コンテンツ情報が記録されている。媒体管理情報は、後述のように、記録媒体１０１に記録された情報を管理するための情報である。テンプレート情報は、後述のように、プレイリストのテンプレートとなる情報であり、複数のタイプのテンプレートが予め用意されている。主コンテンツ情報は、主コンテンツに関する情報（主コンテンツを含む）である。主コンテンツは、必須のコンテンツであり、動画データを含む。主コンテンツは、例えば、映画である。副コンテンツ情報は、副コンテンツに関する情報（副コンテンツを含む）である。副コンテンツは、主コンテンツに付随するコンテンツであり、例えば、音声、字幕及び内容解説文である。記録媒体１０１には、その規格に従って、主コンテンツ情報及び副コンテンツ情報が圧縮された状態で記録され、さらにテンプレート情報が記録されている。記録媒体１０１は、動画を記録するのに十分な記録容量及び記録密度を有しており、例えば、ＤＶＤなどの光ディスクである。
【００１８】
動画再生装置１００は、ディスクＩ／Ｆ（読み出し手段）１０２、ドライブコントローラ１０３、誤り訂正部１０４及びファイル管理部（特性情報取得手段）１０５を備える。動画再生装置１００は、主コンテンツデコーダ１０６、副コンテンツデコーダ１０７、合成部１０８、出力部１０９、システムコントローラ１１０、プレイリスト生成部（プレイリスト生成手段）１１１及び操作部１１２を備える。
【００１９】
ディスクＩ／Ｆ１０２は、光ピックアップ及びモータを含む。これにより、ディスクＩ／Ｆ１０２は、記録媒体１０１に記録された主コンテンツ情報と副コンテンツ情報とを読み出す。
【００２０】
ドライブコントローラ１０３は、ディスクＩ／Ｆ１０２の付近に設けられる。これにより、ドライブコントローラ１０３は、ディスクＩ／Ｆ１０２を駆動して、記録媒体１０１に記録された主コンテンツ情報と副コンテンツ情報とをディスクＩ／Ｆ１０２に読み出させる。すなわち、再生動作を制御する。
【００２１】
誤り訂正部１０４は、ディスクＩ／Ｆ１０２に接続され、ディスクＩ／Ｆ１０２が読み出した情報（テンプレート情報、主コンテンツ情報及び副コンテンツ情報）を復調するとともに、復調後のデータの誤りを訂正する。
【００２２】
ファイル管理部１０５は、誤り訂正部１０４に接続され、誤り訂正部１０４が復調・訂正したデータを受け取る。
【００２３】
主コンテンツデコーダ１０６は、ファイル管理部１０５に接続され、ファイル管理部１０５が受け取ったデータから主コンテンツ情報を抽出及びデコードする。
【００２４】
副コンテンツデコーダ１０７は、ファイル管理部１０５に接続され、ファイル管理部１０５が受け取ったデータから副コンテンツ情報を抽出及びデコードする。なお、副コンテンツデコーダ１０７は常に動作するものでなく、副コンテンツのデコードが必要なときに限り動作するものであっても良い。
【００２５】
合成部１０８は、主コンテンツデコーダ１０６及び副コンテンツデコーダ１０７に接続され、主コンテンツデコーダ１０６がデコードした主コンテンツ情報と、副コンテンツデコーダ１０７がデコードした副コンテンツ情報とを受け取る。合成部１０８は、主コンテンツ情報と副コンテンツ情報とを表示可能なデータとして合成する。
【００２６】
出力部１０９は、合成部１０８に接続され、合成部１０８が合成したデータを表示画像として、表示画面（図示せず）に表示する。出力部１０９は、例えば、外部モニタとして機能する。
【００２７】
プレイリスト生成部１１１は、ファイル管理部１０５に接続され、ファイル管理部１０５が受け取ったデータに基づいて、プレイリストを生成する。プレイリストは、主コンテンツ及び副コンテンツの再生手順を制御するためのリストである。
【００２８】
操作部１１２には、操作に関する要求を示す情報である要求情報が入力される。操作に関する要求は、例えば、主再生要求及び副再生要求である。主再生要求は、主コンテンツ（例えば、動画）を再生することに関する要求である。副再生要求は、副コンテンツ（例えば、音声、字幕、内容解説）を再生することに関する要求である。操作部１１２は、例えば、リモコン及びリモコン信号受信機である。あるいは、操作部１１２は、例えば、本体に設けられた操作キーである。
【００２９】
システムコントローラ１１０は、操作部１１２、ドライブコントローラ１０３、ファイル管理部１０５、プレイリスト生成部１１１、主コンテンツデコーダ１０６、副コンテンツデコーダ１０７及び合成部１０８に接続される。システムコントローラ１１０は、要求情報を操作部１１２から受け取り、その要求情報に基づいて、あるいは所定のプログラムに従って、制御信号を生成する。システムコントローラ１１０は、例えば再生制御信号を供給することにより、ドライブコントローラ１０３、ファイル管理部１０５、プレイリスト生成部１１１、主コンテンツデコーダ１０６、副コンテンツデコーダ１０７及び合成部１０８をそれぞれ再生制御する。
【００３０】
次に、第１の実施形態に係る動画再生装置の動作について説明する。
【００３１】
操作部１１２は、例えば、主再生要求又は副再生要求を受け付ける。システムコントローラ１１０は、主再生要求又は副再生要求の情報を操作部１１２から受け取り、その情報に基づいて、読み出し制御信号を生成する。システムコントローラ１１０は、ドライブコントローラ１０３へ読み出し制御信号を供給する。
【００３２】
ドライブコントローラ１０３は、読み出し制御信号に基づいて、ディスクＩ／Ｆ１０２の光ピックアップやモータ等を駆動して、記録媒体１０１に記録された主コンテンツ情報及び副コンテンツ情報をディスクＩ／Ｆ１０２に読み出させる。
【００３３】
ディスクＩ／Ｆ１０２は、記録媒体１０１から読み出した情報（テンプレート情報、主コンテンツ情報及び副コンテンツ情報）を誤り訂正部１０４へ供給する。誤り訂正部１０４は、読み出した情報を復調するとともに、復調後のデータの誤りを訂正する。誤り訂正部１０４は、復調・訂正後のデータ（デジタルデータ列）をファイル管理部１０５へ供給する。
【００３４】
ファイル管理部１０５は、復調・訂正後のデータから、主コンテンツ識別情報、副コンテンツ識別情報、特性情報及びテンプレート情報を取得する。すなわち、ファイル管理部１０５は、主コンテンツ情報に基づいて、主コンテンツ識別情報を取得する。主コンテンツ識別情報は、主コンテンツを識別する情報であり、例えば、後述の映画データファイルのファイル名である。また、ファイル管理部１０５は、副コンテンツ情報に基づいて、副コンテンツ識別情報及び特性情報を取得する。副コンテンツ識別情報は、副コンテンツを識別する情報であり、例えば、後述の字幕ファイルや内容解説ファイルのファイル名である。特性情報は、副コンテンツの特性に関する情報である。テンプレート情報は、プレイリストの雛型となる情報であり、例えば、複数のプレイリストテンプレートファイル（図９及び図１１参照）を含む。
【００３５】
ファイル管理部１０５は、特性情報に基づいて、テンプレート情報から副コンテンツの特性に適したプレイリストテンプレートファイルを選択する。ファイル管理部１０５は、選択したプレイリストテンプレートファイルと、主コンテンツ識別情報、副コンテンツ識別情報、特性情報とをプレイリスト生成部１１１へ出力する。
【００３６】
プレイリスト生成部１１１は、選択したプレイリストテンプレートファイルと、主コンテンツ識別情報、副コンテンツ識別情報及び特性情報とに基づいて、プレイリストを生成する。プレイリストは、主コンテンツ及び副コンテンツの再生手順を制御するためのリストである。すなわち、プレイリスト生成部１１１は、副コンテンツの特性を考慮して、主コンテンツ及び副コンテンツの再生手順を決定し、それに従ってプレイリストを生成する。
【００３７】
システムコントローラ１１０は、プレイリスト生成部１１１からプレイリストの情報を受け取る。システムコントローラ１１０は、プレイリストに基づいて、ファイル管理部１０５、主コンテンツデコーダ１０６、副コンテンツデコーダ１０７及び合成部１０８を制御する。
【００３８】
これにより、ファイル管理部１０５は、復調・訂正後のデータを主コンテンツデコーダ１０６及び副コンテンツデコーダ１０７へ供給する。主コンテンツデコーダ１０６は、主コンテンツ情報を抽出及びデコードする。副コンテンツデコーダ１０７は、副コンテンツ情報を抽出及びデコードする。合成部１０８は、デコードした主コンテンツ情報を主コンテンツデコーダ１０６から受け取り、デコードした副コンテンツ情報を副コンテンツデコーダ１０７から受け取る。合成部１０８は、主コンテンツ情報と副コンテンツ情報とを表示可能なデータとして合成する。
【００３９】
出力部１０９は、合成部１０８に接続され、合成部１０８が合成したデータに応じた表示画像を表示画面（図示せず）に表示する（図３及び図４参照）。
【００４０】
次に、記録媒体１０１の詳細構成を、図２を用いて説明する。図２は、記録媒体の構成を示す図である。
【００４１】
記録媒体１０１は、媒体管理情報２０１、テンプレート情報２０２、主コンテンツ情報２０３及び副コンテンツ情報２０４を備える。
【００４２】
媒体管理情報２０１は、記録媒体１０１に記録されたテンプレート情報２０２、主コンテンツ情報２０３及び副コンテンツ情報２０４を管理する情報である。媒体管理情報２０１は、例えば、テンプレート情報２０２、主コンテンツ情報２０３および副コンテンツ情報２０４にアクセスするためのアドレス番地に関する情報である。
【００４３】
テンプレート情報２０２は、プレイリストの雛形となる情報である。テンプレート情報２０２は、テンプレートファイル「Ｐｌａｙ  ｌｉｓｔ  Ｔｍｐｌ１」、「Ｐｌａｙ  ｌｉｓｔ  Ｔｍｐｌ２」、・・・、「Ｐｌａｙ  ｌｉｓｔ  ＴｍｐｌＮ」を含む。
【００４４】
主コンテンツ情報２０３は、主コンテンツに関する情報である。主コンテンツ情報２０３は、例えば、映画データファイル「ｓｃｅｎｅ１．ｍｏｖ」、「ｓｃｅｎｅ２．ｍｏｖ」、・・・、「ｓｃｅｎｅＮ．ｍｏｖ」を含む。
【００４５】
副コンテンツ情報２０４は、副コンテンツに関する情報である。副コンテンツ情報２０４は、内容解説データ２０５および字幕データ２０６を含む。内容解説データ２０５は、例えば、内容解説ファイル「Ｔｅｘｔ１．ｔｘｔ」、「Ｔｅｘｔ２．ｔｘｔ」、・・・、「ＴｅｘｔＮ．ｔｘｔ」を含む。または、内容解説データ２０５は文字情報を含む画像データであっても良い。字幕データ２０６は、例えば、字幕ファイル「ｃａｐｔｉｏｎ１．ｔｘｔ」、「ｃａｐｔｉｏｎ２．ｔｘｔ」、・・・、「ｃａｐｔｉｏｎＮ．ｔｘｔ」を含む。
【００４６】
字幕データ２０６の各字幕ファイルには、特性情報として、同期型コンテンツであることを示す情報が含まれている。同期型コンテンツは、主コンテンツと密接な関係にあるという特性を有し、主コンテンツと同期して再生されるべきであるという特性を有する。例えば、図３に示すように、出力部１０９は、操作部１１２に入力された主再生要求に基づき、映画（主コンテンツ）３０１を再生表示し、その進行に合わせて字幕（副コンテンツ）３０２を再生表示する。すなわち、字幕（副コンテンツ）は映画（主コンテンツ）に同期して（連動して）再生表示される。
【００４７】
また、内容解説データ２０５の各内容解説ファイルには、特性情報としてイベント型コンテンツであることを示す情報が含まれている。イベント型コンテンツは、主コンテンツに密接な関係にないという特性を有し、主コンテンツと同期されずに再生されるべきであるという特性を有する。例えば、図４に示すように、出力部１０９は、操作部１１２に入力された主再生要求に基づき、映画（主コンテンツ）３０１を再生表示する。その後操作部１１２に副再生要求が入力されたとき、或いは、主コンテンツが特定のシーンに至ったときに、出力部１０９は内容解説文（副コンテンツ）３０３を表示する。このとき、出力部１０９は、映画（主コンテンツ）３０１に同期せずに、内容解説文（副コンテンツ）３０３を再生表示する。すなわち、何らかのイベント（例えばユーザー操作に基づく副再生要求）が行われるまで内容解説文（副コンテンツ）の再生表示を継続する。そして、操作部１１２に入力された副再生要求に基づき再生画像が更新（或いは終了）するようにする。このように、副コンテンツが同期型コンテンツの場合と、イベント型コンテンツの場合とでは、主コンテンツ及び副コンテンツの再生方法ともに変更されることになる。
【００４８】
ここで、図４に示すように、内容解説文（副コンテンツ）３０３は、情報量が非常に多いという特性を有する。このため、内容解説文（副コンテンツ）３０３が映画（主コンテンツ）３０１に同期して自動的に次の情報に切り替えられる（再生される）と、内容解説文（副コンテンツ）３０３を表示する時間は、視聴者が最後まで読むのに十分な時間とならないことがある。すなわち、副コンテンツの特性に合わせて主コンテンツ及び副コンテンツを再生できないおそれがある。
【００４９】
そこで、システムコントローラ１１０は、副コンテンツが同期型コンテンツでない（イベント型コンテンツである）と判断される場合には、主コンテンツと副コンテンツとが非同期で出力（再生表示）されるような制御信号を生成する。システムコントローラ１１０は、この制御信号を介して、ドライブコントローラ１０３、ファイル管理部１０５、主コンテンツデコーダ１０６、副コンテンツデコーダ１０７及び合成部１０８を制御する。これにより、出力部１０９は、映画（主コンテンツ）３０１に同期せずに、内容解説文（副コンテンツ）３０３を再生表示できる。そして、操作部１１２に入力された副再生要求に基づき内容解説文（副コンテンツ）の再生表示を更新（或いは終了）できる。この間、内容解説文（副コンテンツ）の再生中に映画（主コンテンツ）が特定のポイント（例えばファイルの分割点）に達したときには、映画の再生を停止して、副再生要求の入力まで待機する。この場合、副再生要求があり次第、映画（主コンテンツ）は次のシーンより再生を再開することになる。このように、副コンテンツがイベント型コンテンツの場合、イベントに依存した主コンテンツ及び副コンテンツの再生表示が行われる。
【００５０】
一方で、システムコントローラ１１０は、副コンテンツが同期型コンテンツである（イベント型コンテンツではない）と判断される場合には、主コンテンツと副コンテンツとを同期して出力（再生表示）するための制御信号を生成する。このように、副コンテンツが同期型のコンテンツの場合は、映画（主コンテンツ）の進行は継続され、シーン或いは時間に依存した副コンテンツの再生表示が行われる。
【００５１】
次に、再生装置が主コンテンツ及び副コンテンツを再生する処理の流れを、図５〜図１２を用いて説明する。図５は、再生装置が主コンテンツ及び副コンテンツを再生する処理の流れを示したフローチャートである。図６及び図７は、出力部１０９が表示する画面の例を示したものである。図９及び図１１は、プレイリストテンプレートの概念図である。図１０及び図１２は、プレイリストの概念図である。
【００５２】
ステップＳ５０１では、操作部１１２が、プレイリストを設定する要求である設定要求を受け付けると、その設定要求をシステムコントローラ１１０へ供給する。システムコントローラ１１０は、設定要求を受け取った場合、設定要求があると判断して、合成部１０８を介して出力部１０９にメニュー表示（図示しない）を行わせ、処理をステップＳ５０２へ進める。システムコントローラ１１０は、設定要求を受け取っていない場合、設定要求がないと判断して、処理をステップＳ５０１へ進める。
【００５３】
ステップＳ５０２では、システムコントローラ１１０が、記録媒体１０１に記録された媒体管理情報２０１を取得する。システムコントローラ１１０は、取得した媒体管理情報２０１に基づき、合成部１０８を介して、副コンテンツの種類選択メニューを出力部１０９に表示させる。
【００５４】
例えば、出力部１０９は、図６に示すような種類選択メニュー４０１を表示する。種類選択メニュー４０１には、「字幕」ボタン４０２、「内容解説」ボタン４０３及び「表示しない」ボタン４０４が表示される。種類選択メニュー４０１では、操作部１１２へ入力された指示に基づき、「字幕」ボタン４０２、「内容解説」ボタン４０３及び「表示しない」ボタン４０４のいずれかがクリックされる。
【００５５】
例えば、「字幕」ボタン４０２がクリックされると、図７に示すような副コンテンツ選択画面４０５が表示される。副コンテンツ選択画面４０５では、「字幕」ボタン４０２に対応して、字幕ファイルのファイル名がボタンとして表示される。すなわち、副コンテンツ選択画面４０５では、例えば、「ｃａｐｔｉｏｎ１．ｔｘｔ」ボタン４０６、「ｃａｐｔｉｏｎ２．ｔｘｔ」ボタン４０７及び「ｃａｐｔｉｏｎ３．ｔｘｔ」ボタン４０８が表示される。副コンテンツ選択画面４０５では、操作部１１２へ入力された指示に基づき、「ｃａｐｔｉｏｎ１．ｔｘｔ」ボタン４０６、「ｃａｐｔｉｏｎ２．ｔｘｔ」ボタン４０７及び「ｃａｐｔｉｏｎ３．ｔｘｔ」ボタン４０８のいずれかがクリックされる。
【００５６】
複数のボタン４０６〜４０８のいずれかがクリックされたことに応じて、システムコントローラ１１０は、ドライブコントローラ１０３及びディスクＩ／Ｆ１０２を制御する。これにより、クリックされたボタン４０６〜４０８に対応して選択された副コンテンツ情報及び主コンテンツ情報が、テンプレート情報とともに、記録媒体１０１からディスクＩ／Ｆ１０２へ読み出される。
【００５７】
ディスクＩ／Ｆ１０２は、記録媒体１０１から読み出した情報（テンプレート情報、主コンテンツ情報及び副コンテンツ情報）を誤り訂正部１０４へ供給する。誤り訂正部１０４は、読み出した情報を復調するとともに、復調後のデータの誤りを訂正する。誤り訂正部１０４は、復調・訂正後のデータ（デジタルデータ列）をファイル管理部１０５へ供給する。
【００５８】
ステップＳ５０３では、ファイル管理部１０５が、復調・訂正後のデータから、主コンテンツ識別情報、副コンテンツ識別情報、特性情報及びテンプレート情報を取得する。すなわち、ファイル管理部１０５は、主コンテンツ情報に基づいて、主コンテンツ識別情報を取得する。主コンテンツ識別情報は、主コンテンツを識別する情報であり、例えば、後述の映画データファイルのファイル名である。また、ファイル管理部１０５は、副コンテンツ情報に基づいて、副コンテンツ識別情報及び特性情報を取得する。副コンテンツ識別情報は、副コンテンツを識別する情報であり、例えば、後述の字幕ファイルや内容解説ファイルのファイル名である。特性情報は、副コンテンツの特性に関する情報である。テンプレート情報は、プレイリストの雛型となる情報であり、例えば、複数のプレイリストテンプレートファイル（図９及び図１１参照）を含む。
【００５９】
ステップＳ５０４では、ファイル管理部１０５が、特性情報に基づいて、選択された副コンテンツが同期型コンテンツであるか否かを判断する。
【００６０】
例えば、図６に示す種類選択メニュー４０１で「字幕」ボタン４０２がクリックされて、図７に示す副コンテンツ選択画面４０５で複数のボタン４０６〜４０８のいずれかがクリックされた場合を考える。この場合、ファイル管理部１０５は、特性情報に基づいて、字幕（副コンテンツ）が同期型コンテンツであると判断する。
【００６１】
あるいは、例えば、図６に示す種類選択メニュー４０１で「内容解説」ボタン４０３がクリックされて、副コンテンツ選択画面（図７と同様の画面）で複数のボタンのいずれかがクリックされる。この場合、ファイル管理部１０５は、特性情報に基づいて、内容解説文（副コンテンツ）が同期型コンテンツでないと判断する。
【００６２】
ファイル管理部１０５は、副コンテンツが同期型コンテンツであると判断した場合、処理をステップＳ５０５へ進め、副コンテンツが同期型コンテンツでないと判断した場合、処理をステップＳ５０７へ進める。
【００６３】
ステップＳ５０５では、ファイル管理部１０５が、特性情報に基づいて、テンプレート情報から副コンテンツの特性に適したプレイリストテンプレートファイルを選択する。すなわち、ファイル管理部１０５は、テンプレート情報から同期型プレイリストテンプレートの情報を選択する。
【００６４】
ここで、同期型プレイリストテンプレートは、同期型コンテンツに対応したプレイリストのテンプレートである。同期型プレイリストテンプレートは、例えば、図８に示すようなＳＭＩＬ（Ｓｙｎｃｈｒｏｎｉｚｅｄ  Ｍｕｌｔｉｍｅｄｉａ  Ｉｎｔｅｇｒａｔｅｄ  Ｌａｎｇｕａｇｅ）で記述されている。図８に示す同期型プレイリストテンプレートでは、「ｖｉｄｅｏ  ｓｒｃ＝」として動画（主コンテンツ）を指定するようになっており、副コンテンツを指定する部分（「未設定」で示す部分）の記述が未設定の状態になっている。図８に示す同期型プレイリストテンプレートを概念的に示すと、図９に示すようになる。図９は、同期型プレイリストテンプレートの記述を示す概念図である。図９では、図の右方向に行くに従って時間が進むことを示している。図９に示すように、同期型プレイリストテンプレートには、映画データファイル「ｓｃｅｎｅ１．ｍｏｖ」、「ｓｃｅｎｅ２．ｍｏｖ」、「ｓｃｅｎｅ３．ｍｏｖ」及び「ｓｃｅｎｅ４．ｍｏｖ」を順に再生するための記述６０１が含まれている。また、同期型プレイリストテンプレートには、副コンテンツが未設定であることを示す記述６０２が含まれている。
【００６５】
ステップＳ５０６では、ファイル管理部１０５が、選択したプレイリストテンプレートファイルと、主コンテンツ識別情報、副コンテンツ識別情報、特性情報とをプレイリスト生成部１１１へ出力する。
【００６６】
プレイリスト生成部１１１は、選択したプレイリストテンプレートファイルと、主コンテンツ識別情報、副コンテンツ識別情報、特性情報とに基づいて、プレイリストを生成する。プレイリストは、主コンテンツ及び副コンテンツの再生手順を制御するためのリストである。すなわち、プレイリスト生成部１１１は、副コンテンツの特性を考慮して、主コンテンツ及び副コンテンツの再生手順を決定し、それに従ってプレイリストを生成する。
【００６７】
例えば、プレイリスト生成部１１１は、図９に示す同期型プレイリストテンプレートに、副コンテンツ識別情報をはめ込んで、図１０に示すプレイリストを生成する。図１０に示すプレイリストには、映画データファイル「ｓｃｅｎｅ１．ｍｏｖ」、「ｓｃｅｎｅ２．ｍｏｖ」、「ｓｃｅｎｅ３．ｍｏｖ」、「ｓｃｅｎｅ４．ｍｏｖ」を順に再生することが記述されている。また、プレイリストには、字幕ファイル「ｃａｐｔｉｏｎ１．ｔｘｔ」を映画に同期して再生することが記述されている。
【００６８】
なお、プレイリスト生成部１１１は、同期型プレイリストテンプレートに主コンテンツ識別情報及び副コンテンツ識別情報をはめ込んで、プレイリストを生成してもよい。
【００６９】
ステップＳ５０７では、ファイル管理部１０５が、特性情報に基づいて、テンプレート情報から副コンテンツの特性に適したプレイリストテンプレートファイルを選択する。すなわち、ファイル管理部１０５は、テンプレート情報からイベント型プレイリストテンプレートの情報を選択する。
【００７０】
ここで、イベント型プレイリストテンプレートは、イベント型コンテンツに対応したプレイリストのテンプレートである。イベント型プレイリストテンプレートは、例えば、図８と同様なＳＭＩＬ（Ｓｙｎｃｈｒｏｎｉｚｅｄ  Ｍｕｌｔｉｍｅｄｉａ  Ｉｎｔｅｇｒａｔｅｄ  Ｌａｎｇｕａｇｅ）で記述されている。イベント型プレイリストテンプレートを概念的に示すと、図１１のようになる。図１１は、イベント型プレイリストテンプレートの記述を示す概念図である。図１１では、図の右方向に行くに従って時間が進むことを示している。図１１にしめすように、イベント型プレイリストテンプレートには、映画データファイル「ｓｃｅｎｅ１．ｍｏｖ」、「ｓｃｅｎｅ２．ｍｏｖ」、「ｓｃｅｎｅ３．ｍｏｖ」及び「ｓｃｅｎｅ４．ｍｏｖ」を順に再生する記述７０１が含まれている。また、イベント型プレイリストテンプレートには、副コンテンツが未設定であることを示す記述７０２が含まれている。
【００７１】
イベント型プレイリストテンプレートでは、副コンテンツを「未設定１」〜「未設定４」にする記述７０２が同期型プレイリストテンプレートと異なる。すなわち、副コンテンツ「未設定１」〜「未設定４」が切り替わるタイミングは、映画（主コンテンツ）が切り替わったことをトリガーとせずに、操作部１１２に副再生要求が入力されたことをトリガーとしている。例えば、映画データファイル「ｓｃｅｎｅ１．ｍｏｖ」の再生が終了しても、次の動画データ「ｓｃｅｎｅ２．ｍｏｖ」の再生へすぐに移行せず、（未設定の状態である）副コンテンツ「未設定１」の再生を継続できることが記述されている。つまり、操作部１１２に副再生要求が入力されるまで、次の映画データファイル「ｓｃｅｎｅ２．ｍｏｖ」の再生を待機することが記述されている。そして、操作部１１２に副再生要求が入力されると、次の映画データファイル「ｓｃｅｎｅ２．ｍｏｖ」及び次の副コンテンツ「未設定２」の再生に移行することが記述されている。
【００７２】
ステップＳ５０８では、ファイル管理部１０５が、選択したプレイリストテンプレートファイルと、主コンテンツ識別情報、副コンテンツ識別情報、特性情報とをプレイリスト生成部１１１へ出力する。
【００７３】
プレイリスト生成部１１１は、選択したプレイリストテンプレートファイルと、主コンテンツ識別情報、副コンテンツ識別情報、特性情報とに基づいて、プレイリストを生成する。プレイリストは、主コンテンツ及び副コンテンツの再生手順を制御するためのリストである。すなわち、プレイリスト生成部１１１は、副コンテンツの特性を考慮して、主コンテンツ及び副コンテンツの再生手順を決定し、それに従ってプレイリストを生成する。
【００７４】
例えば、プレイリスト生成部１１１は、図１１に示すイベント型プレイリストテンプレートに、主コンテンツ識別情報及び副コンテンツ識別情報をはめ込んで、図１２に示すプレイリストを生成する。図１２に示すプレイリストには、映画データファイル「ｓｃｅｎｅ１．ｍｏｖ」、「ｓｃｅｎｅ２．ｍｏｖ」、「ｓｃｅｎｅ３．ｍｏｖ」及び「ｓｃｅｎｅ４．ｍｏｖ」を順に再生することが記述されている。また、プレイリストには、内容解説ファイル「Ｔｅｘｔ１．ｔｘｔ」、「Ｔｅｘｔ２．ｔｘｔ」、「Ｔｅｘｔ３．ｔｘｔ」及び「Ｔｅｘｔ４．ｔｘｔ」を映画に同期せずに再生することが記述されている。
【００７５】
すなわち、内容解説文（副コンテンツ）が切り替わるタイミングは、映画（主コンテンツ）のシーンが切り替わったことをトリガーとせずに、操作部１１２に副再生要求が入力されたことをトリガーとしている。例えば、映画データファイル「ｓｃｅｎｅ１．ｍｏｖ」の再生が終了しても、次の動画データ「ｓｃｅｎｅ２．ｍｏｖ」の再生へすぐに移行せず、内容解説ファイル「Ｔｅｘｔ１．ｔｘｔ」の再生を継続できることが記述されている。つまり、操作部１１２に副再生要求が入力されるまで、次の映画データファイル「ｓｃｅｎｅ２．ｍｏｖ」の再生を待機することが記述されている。そして、操作部１１２に副再生要求が入力されると、次の映画データファイル「ｓｃｅｎｅ２．ｍｏｖ」及び次の内容解説ファイル「Ｔｅｘｔ２．ｔｘｔ」の再生に移行することが記述されている。
【００７６】
ステップＳ５０９では、システムコントローラ１１０が、プレイリスト生成部１１１からプレイリストの情報を受け取る。システムコントローラ１１０は、プレイリストに基づいて、ファイル管理部１０５、主コンテンツデコーダ１０６、副コンテンツデコーダ１０７及び合成部１０８を制御して、主コンテンツ及び副コンテンツを再生する。
【００７７】
操作部１１２は、例えば、主再生要求又は副再生要求を受け付ける。システムコントローラ１１０は、主再生要求又は副再生要求の情報を操作部１１２から受け取り、主再生要求又は副再生要求の情報と、プレイリストとに基づいて、読み出し制御信号を生成する。システムコントローラ１１０は、ドライブコントローラ１０３へ読み出し制御信号を供給する。
【００７８】
ドライブコントローラ１０３は、読み出し制御信号に基づいて、ディスクＩ／Ｆ１０２の光ピックアップやモータ等を駆動する。これにより、ドライブコントローラ１０３は、記録媒体１０１に記録された情報（テンプレート情報、主コンテンツ情報及び副コンテンツ情報）をディスクＩ／Ｆ１０２に読み出させる。
【００７９】
ディスクＩ／Ｆ１０２は、記録媒体１０１から読み出した情報を誤り訂正部１０４へ供給する。誤り訂正部１０４は、読み出した情報を復調するとともに、復調後のデータの誤りを訂正する。誤り訂正部１０４は、復調・訂正後のデータ（デジタルデータ列）をファイル管理部１０５へ供給する。
【００８０】
ファイル管理部１０５は、復調・訂正後のデータを主コンテンツデコーダ１０６及び副コンテンツデコーダ１０７へ供給する。主コンテンツデコーダ１０６は、主コンテンツ情報を抽出及びデコードする。副コンテンツデコーダ１０７は、副コンテンツ情報を抽出及びデコードする。合成部１０８は、デコードした主コンテンツ情報を主コンテンツデコーダ１０６から受け取り、デコードした副コンテンツ情報を副コンテンツデコーダ１０７から受け取る。合成部１０８は、主コンテンツ情報と副コンテンツ情報とを表示可能なデータとして合成する。
【００８１】
出力部１０９は、合成部１０８が合成したデータを表示画面（図示せず）に表示する。すなわち、出力部１０９は、映画（主コンテンツ）３０１と字幕（副コンテンツ）３０２とを同期して再生表示する（図３参照）。あるいは、出力部１０９は、映画（主コンテンツ）３０１と内容解説文（副コンテンツ）３０３とを再生表示する（図４参照）。なおかつ、出力部１０９は、副再生要求に基づき、映画（主コンテンツ）３０１に同期せずに、内容解説文（副コンテンツ）３０３の再生表示を更新（或いは終了）する。これにより、プレイリストに従った再生が行われる。
【００８２】
以上のように、プレイリストに副コンテンツの特性を反映させることができる。これにより、副コンテンツが同期型コンテンツである場合、副コンテンツを主コンテンツに同期して再生させることができる。また、副コンテンツがイベント型コンテンツである場合、副コンテンツを主コンテンツに同期させずに再生させることができる。すなわち、副コンテンツが同期型コンテンツの場合と、イベント型コンテンツの場合とでは、主コンテンツ及び副コンテンツの再生方法ともに変更される。したがって、副コンテンツの特性に合った再生方法で主コンテンツ及び副コンテンツを再生できる。
【００８３】
なお、図１１に示すイベント型プレイリストテンプレートにおいて、主コンテンツの記述６０１、７０１が未設定になっていてもよい。あるいは、主コンテンツの記述６０１、７０１において、記録媒体１０１に記録された複数の映画データファイルがランダムに再生されることが記述されていても良い。
【００８４】
記録媒体１０１には、プレイリストが記録されていてもよい。この場合、ディスクＩ／Ｆ１０２がプレイリストを無視して読み出さないようになっていてもよい。あるいは、ディスクＩ／Ｆ１０２がプレイリストを読み出しても、システムコントローラ１１０は、プレイリスト生成部１１１が生成したプレイリストを優先して用いるようになっていてもよい。
【００８５】
また、副コンテンツ情報は、主コンテンツ情報が記録された記録媒体１０１と別の記録媒体に記録されていても良い。例えば、記録媒体１０１には、副コンテンツ情報にアクセスするためのＵＲＬが記録されており、副コンテンツ情報は、そのＵＲＬに対応したネットワーク上のファイルサーバに内蔵された記録媒体（例えば、ハードディスク）に記録されていてもよい。
【００８６】
また、特性情報は、例えば副コンテンツ情報と関連付けられた形で（副コンテンツ情報の一部として）、副コンテンツ情報と別の記録媒体に記録されていても良い。
【００８７】
また、プレイリストは、ＳＭＩＬ以外の形式で記述されても良い。
【００８８】
（第２の実施形態）
以下に、図面を参照しながら、本発明の第２の実施形態について説明する。
【００８９】
次に、本発明の第２の実施形態に係る動画再生装置を、図１３を用いて説明する。図１３は、第２の実施形態に係る動画再生装置の構成図である。第１の実施形態に係る動画再生装置と異なる部分を中心に説明し、同様の部分については説明を省略する。
【００９０】
動画再生装置８００は、例えば、記録媒体８０１に記録された動画を再生することができる装置である。
【００９１】
記録媒体８０１には、主コンテンツ情報と副コンテンツ情報とを含む情報が記録されている。主コンテンツ情報は、主コンテンツに関する情報（主コンテンツを含む）である。主コンテンツは、必須のコンテンツであり、動画を含む。主コンテンツは、例えば、自分で撮影した記録映像である。副コンテンツ情報は、副コンテンツに関する情報（副コンテンツを含む）である。副コンテンツは、主コンテンツに付随するコンテンツであり、例えば、音楽である。
【００９２】
動画再生装置８００は、ファイル管理部（特性情報取得手段）８０５、主コンテンツデコーダ８０６、副コンテンツデコーダ８０７、第１出力部８０８、第２出力部８０９、システムコントローラ８１０及びプレイリスト生成部８１１を備える。
【００９３】
ファイル管理部８０５は、復調・訂正後のデータから、主コンテンツ識別情報、副コンテンツ識別情報、特性情報及びテンプレート情報を取得する。特性情報は、副コンテンツの特性に関する情報であり、例えば、速テンポ型コンテンツ（又は遅テンポ型コンテンツ）であることを示す情報（テンポ情報）を含む。速テンポ型コンテンツは、テンポが速いという特性を有する。遅テンポ型コンテンツは、テンポが遅いという特性を有する。
【００９４】
プレイリスト生成部８１１は、副コンテンツの特性を考慮して、主コンテンツ及び副コンテンツを選択するとともに、主コンテンツ及び副コンテンツの再生手順を決定し、それに従ってプレイリストを生成する。
【００９５】
システムコントローラ８１０は、プレイリスト生成部８１１からプレイリストの情報を受け取る。システムコントローラ８１０は、プレイリストに基づいて、ファイル管理部８０５、主コンテンツデコーダ８０６及び副コンテンツデコーダ８０７を制御する。
【００９６】
これにより、第１出力部８０８は、デコードした主コンテンツ情報を主コンテンツデコーダ８０６から受け取る。第１出力部８０８は、記録映像（主コンテンツ）を表示画面（図示せず）に再生表示する。
【００９７】
また、第２出力部８０９は、デコードした副コンテンツ情報を副コンテンツデコーダ８０７から受け取る。第１出力部８０８は、音楽（副コンテンツ）をスピーカー（図示せず）に再生出力する。
【００９８】
次に、記録媒体８０１の詳細構成を、図１４を用いて説明する。図１４は、記録媒体の構成を示す図である。
【００９９】
記録媒体８０１は、媒体管理情報９０１、テンプレート情報９０２、主コンテンツ情報９０３及び副コンテンツ情報９０４を備える。
【０１００】
媒体管理情報９０１は、記録媒体８０１に記録されたテンプレート情報９０２、主コンテンツ情報９０３及び副コンテンツ情報９０４を管理する情報である。媒体管理情報９０１は、例えば、テンプレート情報９０２、主コンテンツ情報９０３および副コンテンツ情報９０４にアクセスするためのアドレス番地に関する情報である。
【０１０１】
テンプレート情報９０２は、プレイリストの雛形となる情報である。テンプレート情報９０２は、テンプレートファイル「Ｐｌａｙ  ｌｉｓｔ  Ｔｍｐｌ１０１」、「Ｐｌａｙ  ｌｉｓｔ  Ｔｍｐｌ１０２」、・・・、「Ｐｌａｙ  ｌｉｓｔ  Ｔｍｐｌ１０Ｎ」を含む。
【０１０２】
主コンテンツ情報９０３は、主コンテンツに関する情報である。主コンテンツ情報９０３は、例えば、記録映像データファイル「ｒｓｃｅｎｅ１．ｍｏｖ」、「ｒｓｃｅｎｅ２．ｍｏｖ」、・・・、「ｒｓｃｅｎｅＮ．ｍｏｖ」を含む。
【０１０３】
副コンテンツ情報９０４は、副コンテンツに関する情報である。副コンテンツ情報９０４は、音楽データを含む。音楽データは、例えば、音楽ファイル「ｍｕｓｉｃ１．ｍｐ３」、「ｍｕｓｉｃ２．ｍｐ３」、・・・、「ｍｕｓｉｃＮ．ｍｐ３」を含む。
【０１０４】
音楽データの各音楽ファイルには、特性情報として、速テンポ型コンテンツ（又は遅テンポ型コンテンツ）であることを示す情報が含まれている。速テンポ型コンテンツは、テンポが速いという特性を有し、再生時間の短い主コンテンツに合うという特性を有する。例えば、第１出力部８０８及び第２出力部８０９は、操作部１１２に入力された主再生要求に基づき、再生時間の短い記録映像（主コンテンツ）と、テンポが速い音楽（副コンテンツ）とを同期して（連動して）再生表示する。あるいは、第１出力部８０８及び第２出力部８０９は、操作部１１２に入力された主再生要求に基づき、再生時間の長い記録映像（主コンテンツ）と、テンポが遅い音楽（副コンテンツ）とを同期して（連動して）再生表示する。
【０１０５】
ここで、速テンポ型コンテンツ（テンポが速い音楽）は、再生時間の短い主コンテンツに合うという特性を有する。このため、テンポが速い音楽（副コンテンツ）が再生時間の長い記録映像（主コンテンツ）に同期して再生されると、視聴者に対して記録映像と音楽とが合っていないという印象を与え、視聴者にストレスを与えることがある。
【０１０６】
また、遅テンポ型コンテンツ（テンポが遅い音楽）は、再生時間の長い主コンテンツに合うという特性を有する。このため、テンポが遅い音楽（副コンテンツ）が再生時間の短い記録映像（主コンテンツ）に同期して再生されると、視聴者に対して記録映像と音楽とが合っていないという印象を与え、視聴者にストレスを与えることがある。すなわち、副コンテンツの特性に合わせて主コンテンツ及び副コンテンツを再生できないおそれがある。
【０１０７】
そこで、システムコントローラ８１０は、副コンテンツが速テンポ型コンテンツであると判断される場合には、再生時間の短い主コンテンツと、テンポが速い副コンテンツとが出力されるような制御信号を生成する。システムコントローラ８１０は、この制御信号を介して、ファイル管理部８０５、主コンテンツデコーダ８０６及び副コンテンツデコーダ８０７を制御する。これにより、第１出力部８０８は、操作部１１２に入力された主再生要求に基づき、再生時間の短い記録映像（主コンテンツ）を再生表示する。また、第２出力部８０９は、操作部１１２に入力された主再生要求に基づき、テンポの速い音楽（副コンテンツ）を再生出力する。
【０１０８】
一方で、システムコントローラ８１０は、副コンテンツが遅テンポ型コンテンツである（速テンポ型コンテンツではない）と判断される場合には、再生時間の長い主コンテンツと、テンポが遅い副コンテンツとが出力されるような制御信号を生成する。システムコントローラ８１０は、この制御信号を介して、ファイル管理部８０５、主コンテンツデコーダ８０６及び副コンテンツデコーダ８０７を制御する。これにより、第１出力部８０８は、操作部１１２に入力された主再生要求に基づき、再生時間の長い記録映像（主コンテンツ）を再生表示する。また、第２出力部８０９は、操作部１１２に入力された主再生要求に基づき、テンポの遅い音楽（副コンテンツ）を再生出力する。このように、副コンテンツの特性に応じて、主コンテンツと副コンテンツの組み合わせを変更できる。
【０１０９】
次に、再生装置が主コンテンツ及び副コンテンツを再生する処理の流れを、図１５〜図１９を用いて説明する。図１５は、再生装置が主コンテンツ及び副コンテンツを再生する処理の流れを示したフローチャートである。図１６及び図１８は、プレイリストテンプレートの概念図である。図１７及び図１９は、プレイリストの概念図である。第１の実施形態における処理と異なる部分を中心に説明し、同様の部分については説明を省略する。
【０１１０】
ステップＳ６０３では、ファイル管理部８０５が、復調・訂正後のデータから、主コンテンツ識別情報、副コンテンツ識別情報、特性情報及びテンプレート情報を取得する。特性情報は、副コンテンツの特性に関する情報であり、例えば、速テンポ型コンテンツ（又は遅テンポ型コンテンツ）であることを示す情報を含む。速テンポ型コンテンツは、テンポが速いという特性を有する。遅テンポ型コンテンツは、テンポが遅いという特性を有する。
【０１１１】
なお、ファイル管理部８０５は、再生すべき副コンテンツのテンポを解析することにより、特性情報を取得しても良い。例えば、ファイル管理部８０５は、音楽信号の周期的な変化（リズム）を、音楽信号の立ち上がり又は立下りによって検出し、このリズムのように特徴的に抽出される信号とコンテンツの時間情報とからテンポを算出する。そして、ファイル管理部８０５は、算出したテンポと所定の閾値とを比較して、特性情報を生成して取得する。
【０１１２】
ステップＳ６０４では、ファイル管理部８０５が、特性情報に基づいて、選択された副コンテンツが速テンポ型コンテンツであるか否かを判断する。
【０１１３】
ファイル管理部８０５は、副コンテンツが速テンポ型コンテンツであると判断した場合、処理をステップＳ６０５へ進め、副コンテンツが速テンポ型コンテンツでないと判断した場合、処理をステップＳ６０７へ進める。
【０１１４】
ステップＳ６０５では、ファイル管理部１０５が、特性情報に基づいて、テンプレート情報から副コンテンツの特性に適したプレイリストテンプレートファイルを選択する。すなわち、ファイル管理部１０５は、テンプレート情報から速テンポ型プレイリストテンプレートの情報を選択する。
【０１１５】
ここで、速テンポ型プレイリストテンプレートは、速テンポ型コンテンツに対応したプレイリストのテンプレートである。速テンポ型プレイリストテンプレートは、例えば、図１６に示すように、速テンポ型プレイリストテンプレートには、記録映像データファイルが未設定であることを示す記述１１０１が含まれている。記述１１０１には、縦線で示されるタイミング（間隔が短いタイミング）で再生するファイルが切り替わることを示した記述が含まれている。また、速テンポ型プレイリストテンプレートには、副コンテンツが未設定であることを示す記述６０２が含まれている。
【０１１６】
ステップＳ６０６では、ファイル管理部８０５が、選択したプレイリストテンプレートファイルと、主コンテンツ識別情報、副コンテンツ識別情報、特性情報とをプレイリスト生成部８１１へ出力する。
【０１１７】
プレイリスト生成部８１１は、選択したプレイリストテンプレートファイルと、主コンテンツ識別情報、副コンテンツ識別情報、特性情報とに基づいて、プレイリストを生成する。プレイリストは、主コンテンツ及び副コンテンツの再生手順を制御するためのリストである。すなわち、プレイリスト生成部８１１は、副コンテンツの特性を考慮して、主コンテンツ及び副コンテンツを選択するとともに、主コンテンツ及び副コンテンツの再生手順を決定し、それに従ってプレイリストを生成する。
【０１１８】
例えば、プレイリスト生成部８１１は、図１６に示す速テンポ型プレイリストテンプレートに合うような再生時間の記録映像データファイル「ｒｓｃｅｎｅ１．ｍｏｖ」〜「ｒｓｃｅｎｅ１０．ｍｏｖ」を選択する。あるいは、プレイリスト生成部８１１は、図１６に示す速テンポ型プレイリストテンプレートに合う再生時間になるように、記録映像データファイル「ｒｓｃｅｎｅ１．ｍｏｖ」〜「ｒｓｃｅｎｅ１０．ｍｏｖ」を加工する。プレイリスト生成部８１１は、主コンテンツ識別情報及び副コンテンツ識別情報をはめ込んで、図１７に示すプレイリストを生成する。図１７に示すプレイリストには、記録映像データファイル「ｒｓｃｅｎｅ１．ｍｏｖ」〜「ｒｓｃｅｎｅ１０．ｍｏｖ」を順に再生することが記述されている。また、プレイリストには、テンポの速い音楽ファイル「ｍｕｓｉｃ１．ｍｐ３」を記録映像に合わせて再生することが記述されている。
【０１１９】
ステップＳ６０７では、ファイル管理部８０５が、特性情報に基づいて、テンプレート情報から副コンテンツの特性に適したプレイリストテンプレートファイルを選択する。すなわち、ファイル管理部１０５は、テンプレート情報から遅テンポ型プレイリストテンプレートの情報を選択する。
【０１２０】
ここで、遅テンポ型プレイリストテンプレートは、遅テンポ型コンテンツに対応したプレイリストのテンプレートである。遅テンポ型プレイリストテンプレートは、例えば、図１７に示すように、遅テンポ型プレイリストテンプレートには、記録映像データファイルが未設定であることを示す記述１２０１が含まれている。記述１２０１には、縦線で示されるタイミング（間隔が長いタイミング）で再生するファイルが切り替わることを示した記述が含まれている。また、遅テンポ型プレイリストテンプレートには、副コンテンツが未設定であることを示す記述１２０２が含まれている。
【０１２１】
遅テンポ型プレイリストテンプレートでは、縦線で示されるタイミングを示す記述１２０１が速テンポ型プレイリストテンプレートと異なる。すなわち、主コンテンツが切り替わるタイミングの間隔は、速テンポ型プレイリストテンプレートに比べて長くなっている。例えば、１つの音楽ファイルの再生時間に対して、図１８に示す遅テンポ型プレイリストテンプレートにおける切り替えの回数が３回であり、図１６に示す速テンポ型プレイリストテンプレートにおける切り替えの回数が９回である。すなわち、図１８に示す遅テンポ型プレイリストテンプレートによれば記録映像が長いタイミングで切り替わっていく。図１６に示す速テンポ型プレイリストテンプレートによれば、記録映像が短い間隔のタイミングで切り替わっていく。
【０１２２】
ステップＳ６０８では、ファイル管理部８０５が、選択したプレイリストテンプレートファイルと、主コンテンツ識別情報、副コンテンツ識別情報及び特性情報とをプレイリスト生成部８１１へ出力する。
【０１２３】
プレイリスト生成部８１１は、選択したプレイリストテンプレートファイルと、主コンテンツ識別情報、副コンテンツ識別情報及び特性情報とに基づいて、プレイリストを生成する。プレイリストは、主コンテンツ及び副コンテンツの再生手順を制御するためのリストである。すなわち、プレイリスト生成部８１１は、副コンテンツの特性を考慮して、主コンテンツ及び副コンテンツを選択するとともに、主コンテンツ及び副コンテンツの再生手順を決定し、それに従ってプレイリストを生成する。
【０１２４】
例えば、プレイリスト生成部８１１は、図１８に示す遅テンポ型プレイリストテンプレートに合うような再生時間の記録映像データファイル「ｒｓｃｅｎｅ１１．ｍｏｖ」〜「ｒｓｃｅｎｅ１４．ｍｏｖ」を選択する。あるいは、プレイリスト生成部８１１は、図１８に示す遅テンポ型プレイリストテンプレートに合う再生時間になるように、記録映像データファイル「ｒｓｃｅｎｅ１１．ｍｏｖ」〜「ｒｓｃｅｎｅ１４．ｍｏｖ」を加工する。プレイリスト生成部８１１は、主コンテンツ識別情報及び副コンテンツ識別情報をはめ込んで、図１９に示すプレイリストを生成する。図１９に示すプレイリストには、記録映像データファイル「ｒｓｃｅｎｅ１１．ｍｏｖ」〜「ｒｓｃｅｎｅ１４．ｍｏｖ」を順に再生することが記述されている。また、プレイリストには、テンポの遅い音楽ファイル「ｍｕｓｉｃ２．ｍｐ３」を記録映像に合わせて再生することが記述されている。
【０１２５】
ステップＳ６０９では、システムコントローラ８１０が、プレイリスト生成部８１１からプレイリストの情報を受け取る。システムコントローラ８１０は、プレイリストに基づいて、ファイル管理部８０５、主コンテンツデコーダ８０６及び副コンテンツデコーダ８０７を制御して、主コンテンツ及び副コンテンツを再生する。
【０１２６】
具体的には、操作部１１２は、例えば、主再生要求を受け付ける。システムコントローラ１１０は、主再生要求の情報を操作部１１２から受け取り、主再生要求の情報とプレイリストとに基づいて、読み出し制御信号を生成する。システムコントローラ８１０は、ドライブコントローラ１０３へ読み出し制御信号を供給する。
【０１２７】
ドライブコントローラ１０３は、読み出し制御信号に基づいて、ディスクＩ／Ｆ１０２の光ピックアップやモータ等を駆動する。これにより、ドライブコントローラ１０３は、記録媒体８０１に記録された情報（テンプレート情報、主コンテンツ情報及び副コンテンツ情報）をディスクＩ／Ｆ１０２に読み出させる。
【０１２８】
ディスクＩ／Ｆ１０２は、記録媒体１０１から読み出した情報を誤り訂正部１０４へ供給する。誤り訂正部１０４は、読み出した情報を復調するとともに、復調後のデータの誤りを訂正する。誤り訂正部１０４は、復調・訂正後のデータ（デジタルデータ列）をファイル管理部１０５へ供給する。
【０１２９】
ファイル管理部１０５は、復調・訂正後のデータを主コンテンツデコーダ１０６及び副コンテンツデコーダ１０７へ供給する。主コンテンツデコーダ１０６は、主コンテンツ情報を抽出及びデコードする。副コンテンツデコーダ１０７は、副コンテンツ情報を抽出及びデコードする。
【０１３０】
第１出力部８０８は、主コンテンツデコーダ８０６がデコードした記録映像（主コンテンツ）を再生表示する。第２出力部８０９は、副コンテンツデコーダ８０７がデコードした音楽（副コンテンツ）を再生出力する。すなわち、第１出力部８０８は、主再生要求に基づき、再生時間の短い記録映像（主コンテンツ）を再生表示する。なおかつ、第２出力部８０９は、主再生要求に基づき、テンポの速い音楽（副コンテンツ）を再生出力する。あるいは、第１出力部８０８は、主再生要求に基づき、再生時間の長い記録映像（主コンテンツ）を再生表示する。なおかつ、第２出力部８０９は、主再生要求に基づき、テンポの遅い音楽（副コンテンツ）を再生出力する。これにより、プレイリストに従った再生が行われる。
【０１３１】
以上のように、プレイリストに副コンテンツの特性を反映させることができる。これにより、主コンテンツが非ストーリー型コンテンツであり、副コンテンツが速テンポ型コンテンツである場合、副コンテンツを短い間隔のタイミングで切り替えて再生させることができる。また、主コンテンツが非ストーリー型コンテンツであり、副コンテンツが遅テンポ型コンテンツである場合、副コンテンツを長い間隔のタイミングで切り替えて再生させることができる。すなわち、副コンテンツの特性に応じて、主コンテンツと副コンテンツの組み合わせを変更できる。したがって、副コンテンツの特性に合ったタイミングで主コンテンツを切り替えて再生することができる。すなわち、副コンテンツの特性に合わせて主コンテンツ及び副コンテンツを再生できる。
【０１３２】
なお、特性情報には、記録映像（主コンテンツ）の変化の激しさに関する情報が含まれていてもよい。これにより、副コンテンツが速テンポ型コンテンツであると判断される場合、プレイリスト生成部８１１は、特性情報に基づいて、変化の激しい記録映像データファイルを選択する。副コンテンツが遅テンポ型コンテンツであると判断される場合、プレイリスト生成部８１１は、特性情報に基づいて、変化の少ない記録映像データファイルを選択する。
【０１３３】
図１７や図１９に示すプレイリストにおいて、記録映像（主コンテンツ）に関する記述は、記録映像（主コンテンツ）をランダムに再生することを示すものであってもよい。
【０１３４】
なお、副コンテンツには、音楽に加えて、例えば、字幕や内容解説が含まれていてもよい。
【０１３５】
（本発明に係る他の実施形態）
前述した本発明の各実施形態における動画再生装置を構成する各手段、並びに動画再生方法に係る各ステップは、コンピュータのＲＡＭやＲＯＭなどに記憶されたプログラムが動作することによって実現できる。このプログラム及び前記プログラムを記録したコンピュータ読み取り可能な記録媒体は本発明に含まれる。
【０１３６】
また、本発明は、例えば、システム、装置、方法、プログラムもしくは記憶媒体等としての実施形態も可能であり、具体的には、複数の機器から構成されるシステムに適用してもよいし、また、一つの機器からなる装置に適用してもよい。
【０１３７】
なお、本発明は、前述した実施形態の機能を実現するソフトウェアのプログラム（実施形態では図５或いは図１５に示すフローチャートに対応したプログラム）を、システムあるいは装置に直接、あるいは遠隔から供給する。そして、そのシステムあるいは装置のコンピュータが前記供給されたプログラムコードを読み出して実行することによっても達成される場合を含む。
【０１３８】
したがって、本発明の機能処理をコンピュータで実現するために、前記コンピュータにインストールされるプログラムコード自体も本発明を実現するものである。つまり、本発明は、本発明の機能処理を実現するためのコンピュータプログラム自体も含まれる。
【０１３９】
その場合、プログラムの機能を有していれば、オブジェクトコード、インタプリタにより実行されるプログラム、ＯＳに供給するスクリプトデータ等の形態であってもよい。
【０１４０】
プログラムを供給するための記録媒体としては、例えば、フロッピー（登録商標）ディスク、ハードディスク、光ディスク、光磁気ディスク、ＭＯ、ＣＤ−ＲＯＭ、ＣＤ−Ｒ、ＣＤ−ＲＷなどがある。また、磁気テープ、不揮発性のメモリカード、ＲＯＭ、ＤＶＤ（ＤＶＤ−ＲＯＭ、ＤＶＤ−Ｒ）などもある。
【０１４１】
その他、プログラムの供給方法としては、クライアントコンピュータのブラウザを用いてインターネットのホームページに接続する。そして、前記ホームページから本発明のコンピュータプログラムそのもの、もしくは圧縮され自動インストール機能を含むファイルをハードディスク等の記録媒体にダウンロードすることによっても供給できる。
【０１４２】
また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザーに対してダウンロードさせるＷＷＷサーバも、本発明に含まれるものである。
【０１４３】
また、本発明のプログラムを暗号化してＣＤ−ＲＯＭ等の記憶媒体に格納してユーザーに配布し、所定の条件をクリアしたユーザーに対し、インターネットを介してホームページから暗号化を解く鍵情報をダウンロードさせる。そして、ダウンロードした鍵情報を使用することにより暗号化されたプログラムを実行してコンピュータにインストールさせて実現することも可能である。
【０１４４】
また、コンピュータが、読み出したプログラムを実行することによって、前述した実施形態の機能が実現される。その他、そのプログラムの指示に基づき、コンピュータ上で稼動しているＯＳなどが、実際の処理の一部または全部を行い、その処理によっても前述した実施形態の機能が実現され得る。
【０１４５】
さらに、記録媒体から読み出されたプログラムが、コンピュータに挿入された機能拡張ボードやコンピュータに接続された機能拡張ユニットに備わるメモリに書き込まれる。その後、そのプログラムの指示に基づき、その機能拡張ボードや機能拡張ユニットに備わるＣＰＵなどが実際の処理の一部または全部を行い、その処理によっても前述した実施形態の機能が実現される。
【０１４６】
なお、前述した各実施形態は、何れも本発明を実施するにあたっての具体化の例を示したものに過ぎず、これらによって本発明の技術的範囲が限定的に解釈されてはならないものである。すなわち、本発明はその技術思想、またはその主要な特徴から逸脱することなく、様々な形で実施することができる。
【図面の簡単な説明】
【０１４７】
【図１】本発明の第１の実施形態に係る動画再生装置の構成を示すブロック図。
【図２】記録媒体の構成を示す図。
【図３】出力部が表示する画面の例を示す図。
【図４】出力部が表示する画面の例を示す図。
【図５】再生装置が主コンテンツ及び副コンテンツを再生する処理の流れを示したフローチャート。
【図６】出力部が表示する画面の例を示す図。
【図７】出力部が表示する画面の例を示す図。
【図８】同期型プレイリストテンプレートの記述例を示す図。
【図９】プレイリストテンプレートの概念図。
【図１０】プレイリストの概念図。
【図１１】プレイリストテンプレートの概念図。
【図１２】プレイリストの概念図。
【図１３】本発明の第２の実施形態に係る動画再生装置の構成を示すブロック図。
【図１４】記録媒体の構成を示す図。
【図１５】再生装置が主コンテンツ及び副コンテンツを再生する処理の流れを示したフローチャート。
【図１６】プレイリストテンプレートの概念図。
【図１７】プレイリストの概念図。
【図１８】プレイリストテンプレートの概念図。
【図１９】プレイリストの概念図。
【図２０】本発明の課題を説明するための図。
【符号の説明】
【０１４８】
１００  動画再生装置
１０１  記録媒体
１０２  ディスクＩ／Ｆ
１０３  ドライブコントローラ
１０４  誤り訂正部
１０５  ファイル管理部
１０６  主コンテンツデコーダ
１０７  副コンテンツデコーダ
１０８  合成部
１０９  出力部
１１０  システムコントローラ
１１１  プレイリスト生成部
１１２  操作部
３０１  映画（主コンテンツ）
３０２  字幕（副コンテンツ）
３０３  内容解説文（副コンテンツ）
８００  動画再生装置
８０１  記録媒体
８０５  ファイル管理部
８０６  主コンテンツデコーダ
８０７  副コンテンツデコーダ
８０８  第１出力部
８０９  第２出力部
８１０  システムコントローラ
８１１  プレイリスト生成部
【図１】
2008125050.tif 000003
【図２】
2008125050.tif 000004
【図３】
2008125050.tif 000005
【図４】
2008125050.tif 000006
【図５】
2008125050.tif 000007
【図６】
2008125050.tif 000008
【図７】
2008125050.tif 000009
【図８】
2008125050.tif 000010
【図９】
2008125050.tif 000011
【図１０】
2008125050.tif 000012
【図１１】
2008125050.tif 000013
【図１２】
2008125050.tif 000014
【図１３】
2008125050.tif 000015
【図１４】
2008125050.tif 000016
【図１５】
2008125050.tif 000017
【図１６】
2008125050.tif 000018
【図１７】
2008125050.tif 000019
【図１８】
2008125050.tif 000020
【図１９】
2008125050.tif 000021
【図２０】
2008125050.tif 000022